(57)【要約】【課題】開閉体の意匠性を向上させることが可能となる、押縁の取付構造を提供すること。【解決手段】押縁６０の取付構造は、建物の開口部３の開閉を行う開閉体２０であって、少なくとも１つ以上のガラス板からなるガラス体３０と、ガラス体３０の周囲を囲繞するように設けられた複数の框材とを備えた開閉体２０を構成する押縁６０であり、ガラス体３０の周縁部分の一部に直接的又は間接的に当接させることでガラス体３０を支持する押縁６０の取付構造であって、押縁６０の側部のうち、複数の框材の中で押縁６０が取り付けられる框材である上側框材４３における見込方向のいずれか一方側の側面全体を覆うように設けられる側部である第１押縁側部６１を、一部材で形成した。【選択図】図１
2019100035.tif 000002
【特許請求の範囲】
【請求項１】
建物の開口部の開閉を行う開閉体であって、少なくとも１つ以上のガラス板からなるガラス体と、前記ガラス体の周囲を囲繞するように設けられた複数の框材とを備えた開閉体を構成する押縁であり、前記ガラス体の周縁部分の一部に直接的又は間接的に当接させることで前記ガラス体を支持する押縁の取付構造であって、
前記押縁の側部のうち、前記複数の框材の中で前記押縁が取り付けられる框材である対象框材における見込方向のいずれか一方側の側面全体を覆うように設けられる側部である第１側部を、一部材で形成した、
押縁の取付構造。
【請求項２】
前記対象框材の断面形状を、閉鎖断面とした、
請求項１に記載の押縁の取付構造。
【請求項３】
前記押縁の側部のうち、前記対象框材の内周側見込面と対向する側部である第２側部及び前記対象框材の外周側見込面と対向する第３側部の各々を、前記対象框材に対して固定具によって固定した、
請求項１又は２に記載の押縁の取付構造。
【請求項４】
前記押縁の側部のうち、前記対象框材の内周側見込面と対向する側部である第２側部又は前記対象框材の外周側見込面と対向する第３側部のいずれか一方を、前記対象框材に対して固定具によって固定し、
前記第２側部又は前記第３側部のいずれか他方に設けられた係止部を、前記対象框材に設けられた被係止部に係止した、
請求項１又は２に押縁の取付構造。
【請求項５】
前記押縁の回転移動が抑制可能となるように、前記係止部を前記被係止部に係止した、
請求項４に記載の押縁の取付構造。
【請求項６】
前記被係止部を、前記対象框材とは別体に形成した、
請求項４又は５に記載の押縁の取付構造。
【請求項７】
前記第２側部を、前記対象框材に対して前記固定具によって固定し、
前記第３側部に、前記係止部を設けた、
請求項４から６のいずれか一項に記載の押縁の取付構造。
【請求項８】
前記第２側部のうち前記固定具に対応する部分に、見付方向の外側に向けて窪んだ凹部を形成した、
請求項３又は７に記載の押縁の取付構造。
【請求項９】
前記凹部に設けられるカバー材であって、前記固定具が外部に露出することを防止するためのカバー材を備えた、
請求項８に記載の押縁の取付構造。
【請求項１０】
建物の開口部の開閉を行う開閉体であって、少なくとも１つ以上のガラス板からなるガラス体と、前記ガラス体の周囲を囲繞するように設けられた複数の框材とを備えた開閉体を構成する押縁であり、前記ガラス体の周縁部分の一部に直接的又は間接的に当接させることで前記ガラス体を支持する押縁の取付方法であって、
前記複数の框材の中で前記押縁が取り付けられる框材である対象框材における見込方向のいずれか一方側の側面全体を覆うことが可能な前記押縁の側部のうち、前記対象框材の内周側見込面と対向する側部又は前記対象框材の外周側見込面と対向する側部のいずれか一方に設けられた係止部を、前記対象框材に設けられた被係止部に係止する係止工程と、
前記係止工程の後に、前記係止部と前記被係止部とを係止した状態で、当該係止した部分を支点に前記押縁を回転移動させた後に、前記内周側見込面と対向する側部又は前記外周側見込面と対向する側部のいずれか他方を、前記対象框材に対して固定具によって固定する固定工程と、
を含む押縁の取付方法。
【発明の詳細な説明】
【技術分野】
【０００１】
本発明は、押縁の取付構造に関する。
【背景技術】
【０００２】
従来、建物の開口部に設けられている扉体を構成するガラス板を着脱自在に固定するための技術として、ガラス板の周囲を囲繞するように設けられた框材の内周側見込面に押縁を取り付ける技術が提案されている（例えば、特許文献１参照）。
【先行技術文献】
【特許文献】
【０００３】
【特許文献１】特開２００３−３７５９号公報
【発明の概要】
【発明が解決しようとする課題】
【０００４】
しかしながら、上記従来の技術においては、上述したように、框材の内周側見込面に押縁を取り付けているので、框材と押縁との境界線が外部に露出することから、扉体の意匠性を低下させるおそれがあった。よって、扉体の如き開閉体の意匠性の観点からは改善の余地があった。
【０００５】
本発明は、上記従来技術における課題を解決するためのものであって、開閉体の意匠性を向上させることが可能となる、押縁の取付構造を提供することを目的とする。
【課題を解決するための手段】
【０００６】
上述した課題を解決し、目的を達成するために、請求項１に記載の押縁の取付構造は、建物の開口部の開閉を行う開閉体であって、少なくとも１つ以上のガラス板からなるガラス体と、前記ガラス体の周囲を囲繞するように設けられた複数の框材とを備えた開閉体を構成する押縁であり、前記ガラス体の周縁部分の一部に直接的又は間接的に当接させることで前記ガラス体を支持する押縁の取付構造であって、前記押縁の側部のうち、前記複数の框材の中で前記押縁が取り付けられる框材である対象框材における見込方向のいずれか一方側の側面全体を覆うように設けられる側部である第１側部を、一部材で形成した。
【０００７】
請求項２に記載の押縁の取付構造は、請求項１に記載の押縁の取付構造において、前記対象框材の断面形状を、閉鎖断面とした。
【０００８】
請求項３に記載の押縁の取付構造は、請求項１又は２に記載の押縁の取付構造において、前記押縁の側部のうち、前記対象框材の内周側見込面と対向する側部である第２側部及び前記対象框材の外周側見込面と対向する第３側部の各々を、前記対象框材に対して固定具によって固定した。
【０００９】
請求項４に記載の押縁の取付構造は、請求項１又は２に記載の押縁の取付構造において、前記押縁の側部のうち、前記対象框材の内周側見込面と対向する側部である第２側部又は前記対象框材の外周側見込面と対向する第３側部のいずれか一方を、前記対象框材に対して固定具によって固定し、前記第２側部又は前記第３側部のいずれか他方に設けられた係止部を、前記対象框材に設けられた被係止部に係止した。
【００１０】
請求項５に記載の押縁の取付構造は、請求項４に記載の押縁の取付構造において、前記押縁の回転移動が抑制可能となるように、前記係止部を前記被係止部に係止した。
【００１１】
請求項６に記載の押縁の取付構造は、請求項４又は５に記載の押縁の取付構造において、前記被係止部を、前記対象框材とは別体に形成した。
【００１２】
請求項７に記載の押縁の取付構造は、請求項４から６のいずれか一項に記載の押縁の取付構造において、前記第２側部を、前記対象框材に対して前記固定具によって固定し、前記第３側部に、前記係止部を設けた。
【００１３】
請求項８に記載の押縁の取付構造は、請求項３又は７に記載の押縁の取付構造において、前記第２側部のうち前記固定具に対応する部分に、見付方向の外側に向けて窪んだ凹部を形成した。
【００１４】
請求項９に記載の押縁の取付構造は、請求項８に記載の押縁の取付構造において、前記凹部に設けられるカバー材であって、前記固定具が外部に露出することを防止するためのカバー材を備えた。
【００１５】
請求項１０に記載の押縁の取付方法は、建物の開口部の開閉を行う開閉体であって、少なくとも１つ以上のガラス板からなるガラス体と、前記ガラス体の周囲を囲繞するように設けられた複数の框材とを備えた開閉体を構成する押縁であり、前記ガラス体の周縁部分の一部に直接的又は間接的に当接させることで前記ガラス体を支持する押縁の取付方法であって、前記複数の框材の中で前記押縁が取り付けられる框材である対象框材における見込方向のいずれか一方側の側面全体を覆うことが可能な前記押縁の側部のうち、前記対象框材の内周側見込面と対向する側部又は前記対象框材の外周側見込面と対向する側部のいずれか一方に設けられた係止部を、前記対象框材に設けられた被係止部に係止する係止工程と、前記係止工程の後に、前記係止部と前記被係止部とを係止した状態で、当該係止した部分を支点に前記押縁を回転移動させた後に、前記内周側見込面と対向する側部又は前記外周側見込面と対向する側部のいずれか他方を、前記対象框材に対して固定具によって固定する固定工程と、を含む。
【発明の効果】
【００１６】
請求項１に記載の押縁の取付構造によれば、押縁の側部のうち、複数の框材の中で押縁が取り付けられる框材である対象框材における見込方向のいずれか一方側の側面全体を覆うように設けられる側部である第１側部を、一部材で形成したので、一部材の第１側部によって対象框材における見込方向のいずれか一方側の側面全体を覆うことができる。よって、従来技術（框材の内周側見込面に押縁を取り付ける技術）に比べて、押縁と対象框材との境界線が外部に露出することを回避でき、開閉体の意匠性を向上させることが可能となる。
【００１７】
請求項２に記載の押縁の取付構造によれば、対象框材の断面形状を閉鎖断面としたので、対象框材の断面形状を開放断面とした場合に比べて、対象框材の形状を維持しやすくなり、対象框材の意匠性を維持できる。
【００１８】
請求項３に記載の押縁の取付構造によれば、第２側部及び第３側部の各々を、対象框材に対して固定具によって固定したので、押縁を対象框材に対して比較的強固に固定でき、ガラス体が脱落したり、又は押縁が対象框材から外れることを回避することが可能となる。
【００１９】
請求項４に記載の押縁の取付構造によれば、第２側部又は第３側部のいずれか一方を、対象框材に対して固定具によって固定し、第２側部又は第３側部のいずれか他方に設けられた係止部を、対象框材に設けられた被係止部に係止したので、例えば係止部を被係止部に係止した状態で押縁を回転させた後に対象框材に対して固定具によって固定することができることから、第２側部及び第３側部の各々を固定具によって固定する場合に比べて、固定具による固定作業を軽減でき、押縁の取付性を向上できる。
【００２０】
請求項５に記載の押縁の取付構造によれば、押縁の回転移動が抑制可能となるように、係止部を被係止部に係止したので、係止部と被係止部との係止によって押縁の回転移動を抑制でき、ガラス体が脱落したり、又は押縁が対象框材から外れることを回避できる。
【００２１】
請求項６に記載の押縁の取付構造によれば、被係止部を対象框材とは別体に形成したので、被係止部を対象框材と一体に形成する場合に比べて対象框材の加工の手間を省略でき、対象框材の製造性を向上させることができる。また、被係止部を対象框材と一体に形成する場合に比べて被係止部の取付の自由度を高めることができ、例えば既設の開閉体の押縁に代えて本発明の押縁及び被係止部を設けることにより、押縁の取付構造を既設の開閉体に適用することが可能となる。
【００２２】
請求項７に記載の押縁の取付構造によれば、第２側部を対象框材に対して固定具によって固定し、第３側部に係止部を設けたので、第３側部を対象框材に対して固定具によって固定し、第２側部に係止部を設ける場合に比べて、例えば、係止部と被係止部との係止した部分を支点に押縁を回転させて取り付ける場合に、ガラス体によって押縁の取付が阻害されることを回避しやすくなる。
【００２３】
請求項８に記載の押縁の取付構造によれば、第２側部のうち固定具に対応する部分に、見付方向の外側に向けて窪んだ凹部を形成したので、第２側部を対象框材に対して固定具によって固定する場合に、固定具が外部に露出することを回避でき、開閉体の意匠性を向上させることができる。
【００２４】
請求項９に記載の押縁の取付構造によれば、凹部に設けられるカバー材を備えたので、凹部にカバー材を設けない場合に比べて、固定具が外部に露出することを回避でき、開閉体の意匠性を一層向上させることができる。
【００２５】
請求項１０に記載の押縁の取付方法によれば、押縁の側部のうち対象框材の内周側見込面と対向する側部又は対象框材の外周側見込面と対向する側部のいずれか一方に設けられた係止部を、対象框材に設けられた被係止部に係止する係止工程と、係止工程の後に、係止部と被係止部とを係止した状態で、当該係止した部分を支点に押縁を回転移動させた後に、上記内周側見込面と対向する側部又は上記外周側見込面と対向する側部のいずれか他方を、対象框材に対して固定具によって固定する固定工程と、を含むので、上記内周側見込面と対向する側部及び上記外周側見込面と対向する側部の各々を固定具によって固定する場合に比べて、固定具による固定作業を軽減でき、押縁の取付性を向上できる。
【図面の簡単な説明】
【００２６】
【図１】本発明の実施の形態１に係る開閉装置を示す正面図である。
【図２】図１のＡ−Ａ矢視断面図である（一部図示省略）。
【図３】図１のＢ−Ｂ矢視断面図である（一部図示省略）。
【図４】押縁の取付方法を示す図であり、（ａ）は取付前の状態を示す図、（ｂ）は固定工程を示す図、（ｃ）はシーリング材等設置工程を示す図である。
【図５】実施の形態２に係る押縁の取付方法を示す図であり、（ａ）は取付前の状態を示す図、（ｂ）は係止工程を示す図、（ｃ）は固定工程を示す図、（ｄ）はシーリング材等設置工程を示す図である。
【図６】実施の形態２に係る押縁の変形例の取付方法を示す図であり、（ａ）は取付前の状態を示す図、（ｂ）は係止工程を示す図、（ｃ）は固定工程を示す図、（ｄ）はシーリング材等設置工程を示す図である。
【図７】実施の形態３に係る押縁の取付方法を示す図であり、（ａ）は取付前の状態を示す図、（ｂ）は係止工程を示す図、（ｃ）は固定工程を示す図、（ｄ）はシーリング材等設置工程を示す図である。
【図８】実施の形態３に係る押縁の変形例の取付方法を示す図であり、（ａ）は取付前の状態を示す図、（ｂ）は係止工程を示す図、（ｃ）は固定工程を示す図、（ｄ）はシーリング材等設置工程を示す図である。
【図９】押縁の取付構造の変形例を示す図である。
【図１０】押縁の取付構造の変形例を示す図であり、（ａ）は固定具のみで固定した図であり、（ｂ）は固定具のみで固定した図であり、（ｃ）は固定具と、係止部及び被係止部とで固定した図である。
【発明を実施するための形態】
【００２７】
以下に添付図面を参照して、この発明に係る押縁の取付構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２８】
〔Ｉ〕実施の形態の基本的概念
まず、実施の形態の基本的概念について説明する。実施の形態は、概略的に、建物の開口部の開閉を行う開閉体であって、ガラス体と、ガラス体の周囲を囲繞するように設けられた複数の框材とを備えた開閉体を構成する押縁の取付構造に関するものである。
【００２９】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、天井、床等）において出入口や窓を設置するために形成された開口部である。また、「開閉体」とは、建物の開口部を開閉するためのものである。この開閉体の開閉構造は任意であり、例えば、片開式の開き戸や両開式の開き戸（いわゆる親子扉）等の「開き戸の扉体」や「引き戸の扉体」として構成することができる。また、「押縁」とは、ガラス体の周縁部分の一部に直接的又は間接的に当接させることでガラス体を支持するためのものである。以下、実施の形態では、開閉体が、ビルの如き建物の通路に面する位置に配置された片開式の開き戸の扉体である場合について説明する。
【００３０】
〔ＩＩ〕実施の形態の具体的内容
次に、実施の形態の具体的内容について説明する。
【００３１】
〔実施の形態１〕
まず、実施の形態１に係る押縁の取付構造について説明する。この実施の形態１は、後述する第２押縁側部及び後述する第４押縁側部の各々を、框材に対して固定具によって固定する形態である。
【００３２】
（構成）
最初に、実施の形態１に係る押縁の取付構造が適用される開閉装置の構成について説明する。以下の説明では、図１のＸ方向を開閉装置の左右方向又は見付方向（−Ｘ方向を開閉装置の左方向、＋Ｘ方向を開閉装置の右方向）、図２のＹ方向を開閉装置の前後方向又は見込方向（＋Ｙ方向を開閉装置の前方向（部屋の室外側の方向）、−Ｙ方向を開閉装置の後方向（部屋の室内側の方向））、図１のＺ方向を開閉装置の上下方向又は見付方向（＋Ｚ方向を開閉装置の上方向、−Ｚ方向を開閉装置の下方向）と称する。開閉装置１は、概略的に、枠体１０、開閉体２０、押縁６０、及びヒンジ部７０を備えており、枠体１０の内部において開閉体２０を左右方向（水平方向）にスライド移動させることで、開閉体２０によって部屋の壁２の開口部３を開閉することができる。ただし、開閉装置１に関する特記しない構成については、従来と同様であるものとして説明を省略する。なお、開閉装置１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００３３】
（構成−枠体）
枠体１０は、壁２に形成された開口部３の周縁に設置されるものであり、鋼製（一例として、スチール、ステンレス等）の左右一対の縦枠１１、１２及び上下一対の横枠１３、１４を備えている。これら縦枠１１、１２及び横枠１３、１４は、それぞれ開口部３の周縁における壁２に対して公知の方法で直接的に固定されており、相互に組み合わせられることによって、正面形状が略矩形環状となるように形成されている。以下では、必要に応じて、左右一対の縦枠１１、１２のうち、開口部３の戸尻側に位置する縦枠１１を「戸尻側縦枠１１」と称し、開口部３の戸先側に位置する縦枠１２を「戸先側縦枠１２」と称する。また、上下一対の横枠１３、１４のうち、開口部３の上方側に位置する横枠１３を「上側横枠１３」と称し、開口部３の下方側に位置する横枠１４を「下側横枠１４」と称する。
【００３４】
また、この戸先側縦枠１２には、デッドボルト受け及びラッチ受けが設けられている（いずれも図示省略）。デッドボルト受けは、開閉体２０によって開口部３が閉鎖された状態（以下、「全閉状態」と称する）において、開閉体２０に設けられた後述する施錠装置のデッドボルトを受けるためのデッドボルト受容手段であり、後述するデッドボルトと対応する位置に配置されている。ラッチ受けは、開閉体２０に設けられた後述するラッチを受けるためのラッチ受容手段であり、ラッチと対応する位置に配置されている。
【００３５】
（構成−開閉体）
開閉体２０は、開口部３を開閉するための平板状体であり、図１に示すように、ガラス体３０及び框体４０を備えている。
【００３６】
（構成−開閉体−ガラス体）
ガラス体３０は、開閉体２０の意匠性や採光性を高めるためのものである。このガラス体３０は、少なくとも１つ以上のガラス板（他えば、公知の扉用ガラス板等）からなり（図１では、正面形状が縦長矩形状である１つのガラス体３０からなり）、框体４０及び押縁６０に対して着脱自在に取り付けられている。
【００３７】
（構成−開閉体−框体）
框体４０は、開閉体２０の剛性を主として担うものである。この框体４０は、複数の鋼製（例えば、ステンレス製、スチール製等）の框材４１、４２、４３、４４をガラス体３０の周囲を囲繞するように設けることで、正面形状が環状（図１では、矩形環状）となるように形成されている。また、図１に示すように、これら複数の框材４１、４２、４３、４４は、左右一対の縦框材４１、４２、及び上下一対の横框材４３、４４から構成されている。このうち、左右一対の縦框材４１、４２は、長手方向の長さが相互に略同一となるように形成されており、上下方向に略沿うように配置されている。また、上下一対の横框材４３、４４は、長手方向の長さが相互に略同一となるように形成されており、左右方向に略沿うように配置されている。以下では、必要に応じて、縦框材４１、４２のうち、戸尻側の縦框材４１を「戸尻側框材４１」と称し、戸先側の縦框材４２を「戸先側框材４２」と称する。また、横框材４３、４４のうち、上側の横框材４３を「上側框材４３」と称し、下側の横框材４４を「下側框材４４」と称する。なお、戸尻側框材４１、戸先側框材４２、上側框材４３、及び下側框材４４の構成の詳細については、後述する。
【００３８】
また、図１に示すように、戸先側框材４２には、ユーザが扉体の開閉操作を行うための把手２１と、開閉体２０を施錠するための施錠装置であってデッドボルトを備える施錠装置（図示省略）と、施錠装置による施錠の有無に関わらず、全閉状態の位置に開閉体２０を維持するためのラッチ（図示省略）とが設けられている。
【００３９】
（構成−押縁）
押縁６０は、ガラス体３０の周縁部分の一部に直接的又は間接的に当接させることでガラス体３０を支持するための部材である。この押縁６０は、例えば長尺な鋼製の板状体であり、上側框材４３（対象框材）に対して着脱自在に取り付けられている。なお、この押縁６０の構成の詳細については、後述する。
【００４０】
（構成−ヒンジ部）
ヒンジ部７０は、開閉体２０を上側横枠１３及び下側横枠１４に対して回動自在に軸支するためのものである。このヒンジ部７０は、例えばピボットヒンジ等の公知のヒンジ部材等を用いて構成されており、図１に示すように、開閉体２０の戸尻側における上方及び下方の各々に配置されており、上側横枠１３又は下側横枠１４及び開閉体２０に対して固定具等によって取り付けられている。
【００４１】
（構成−戸尻側框材、戸先側框材の構成の詳細）
次に、戸尻側框材４１及び戸先側框材４２の構成の詳細について説明する。ただし、これら戸尻側框材４１及び戸先側框材４２は、特記する場合を除いて、任意の形状、方法、及び材質で製造することができる。また、これら戸尻側框材４１及び戸先側框材４２の各々の構成はそれぞれ略同一であるので、以下では、戸尻側框材４１の構成のみについて説明することとする。この戸尻側框材４１は、当該戸尻側框材４１の形状を維持できるように、当該戸尻側框材４１の断面形状（図２では、Ｘ−Ｙ平面に沿った断面形状）が閉鎖断面で形成されており、図２に示すように、縦力骨５１、５２、室外側表面材５３、室内側表面材５４、シーリング材５５ａ、及びバックアップ材５５ｂを備えている。
【００４２】
（構成−戸尻側框材、戸先側框材の構成の詳細−縦力骨）
縦力骨５１、５２は、戸尻側框材４１の剛性を主として担う部材である。これら縦力骨５１、５２は、図２に示すように、Ｘ−Ｙ平面に沿った断面形状が略コ字状又は略逆コ字状である長尺な鋼製の板状体であり、相互に間隔を隔てて左右方向に略沿って並設されている。以下では、これら縦力骨５１、５２のうち、左右方向の内側の縦力骨５１を「第１縦力骨５１」と称し、左右方向の外側の縦力骨５２を「第２縦力骨５２」と称する。
【００４３】
（構成−戸尻側框材、戸先側框材の構成の詳細−室外側表面材）
室外側表面材５３は、戸尻側框材４１の２つの主側面（戸尻側框材４１の側面のうち、面積が最も大きな側面）のいずれか一方を構成する部材であって、少なくとも第１縦力骨５１及び第２縦力骨５２の各々における見込方向（前後方向）の一方側の側面（図２では、部屋の室外側の側面）の全体を覆う部材である。この室外側表面材５３は、図２に示すように、第１室外側表面片５３ａ、第２室外側表面片５３ｂ、第３室外側表面片５３ｃ、及び第４室外側表面片５３ｄを備えている。
【００４４】
このうち、第１室外側表面片５３ａは、戸尻側框材４１の主側面を覆うための側片である。この第１室外側表面片５３ａは、図２に示すように、当該第１室外側表面片５３ａの左右方向の長さが第１縦力骨５１から第２縦力骨５２に至る長さよりも長くなるように形成されており、第１縦力骨５１及び第２縦力骨５２の各々における見込方向の一方側の側面の全体を覆うと共に、第１縦力骨５１よりも左右方向の内側（図２では、左方側）に突出するように設けられている。また、第２室外側表面片５３ｂは、第１縦力骨５１の見込面を覆うための側片である。この第２室外側表面片５３ｂは、図２に示すように、当該第２室外側表面片５３ｂの前後方向の長さが第１縦力骨５１の前後方向の長さよりも短くなるように形成されており、第１室外側表面片５３ａの左右方向の内側の端部（図２では、左端部）から前後方向の内側（図２では、後方側）に向けて突出するように設けられることで、第２室外側表面片５３ｂによって第１縦力骨５１の見込面の一部のみが覆われている。また、第３室外側表面片５３ｃは、第１縦力骨５１の見込面を覆うための側片であり、且つガラス体３０と直接的又は間接的に当接する側片である。この第３室外側表面片５３ｃは、図２に示すように、第３室外側表面片５３ｃの左右方向の長さが第１室外側表面片５３ａの突出部分の長さと略同一となるように形成されており、第２室外側表面片５３ｂの前後方向の内側の端部（図２では、後端部）から左右方向の外側（図２では、右方側）に向けて突出するように設けられている。また、第４室外側表面片５３ｄは、第２縦力骨５２の見込面を覆うための側片である。この第４室外側表面片５３ｄは、図２に示すように、当該第４室外側表面片５３ｄの前後方向の長さが第２縦力骨５２の前後方向の長さよりも短くなるように形成されており、第１室外側表面片５３ａの左右方向の外側の端部（図２では、右端部）から前後方向の内側（図２では、後方側）に向けて突出するように設けられることで、第４室外側表面片５３ｄによって第２縦力骨５２の見込面の一部のみが覆われている。
【００４５】
また、室外側表面材５３の固定方法については任意であるが、例えば、室外側表面材５３のうち第１縦力骨５１又は第２縦力骨５２と当接する部分（例えば、第１室外側表面片５３ａ、第３室外側表面片５３ｃ、及び第４室外側表面片５３ｄ）を第１縦力骨５１又は第２縦力骨５２に対して溶接等によって固定している（なお、室内側表面材５４の固定方法についても同様とする）。
【００４６】
また、室外側表面材５３の形成方法については任意であるが、実施の形態１では、スチール材又はステンレス材を曲げ成形することで、第１室外側表面片５３ａ、第２室外側表面片５３ｂ、第３室外側表面片５３ｃ、及び第４室外側表面片５３ｄを一体形成している（なお、室内側表面材５４の形成方法についても同様とする）。これにより、第１室外側表面片５３ａ、第２室外側表面片５３ｂ、第３室外側表面片５３ｃ、及び第４室外側表面片５３ｄを別体形成する場合に比べて、隣接する側片同士の境界線が外部に露出することを回避でき、開閉体２０の意匠性を向上させることができる。
【００４７】
（構成−戸尻側框材、戸先側框材の構成の詳細−室内側表面材）
室内側表面材５４は、戸尻側框材４１の２つの主側面のいずれか他方を構成する部材であって、少なくとも第１縦力骨５１及び第２縦力骨５２の各々における見込方向の他方側の側面（図２では、部屋の室内側の側面）の全体を覆う部材であり、図２に示すように、第１室内側表面片５４ａ、第２室内側表面片５４ｂ、第３室内側表面片５４ｃ、及び第４室内側表面片５４ｄを備えている。なお、この室内側表面材５４は、室外側表面材５３と略同一に構成されているので、その詳細な説明を省略する。また、これら室外側表面材５３及び室内側表面材５４の構成により、第３室外側表面片５３ｃ及び第３室内側表面片５４ｃによって直接的又は間接的に当接することができ、ガラス体３０が脱落することを回避できる（なお、戸先側框材４２の構成、及び下側框材４４の構成についても略同様とする）。
【００４８】
（構成−戸尻側框材、戸先側框材の構成の詳細−シーリング材、バックアップ材）
シーリング材５５ａは、ガラス体３０と戸尻側框材４１との隙間を埋めるための部材である。このシーリング材５５ａは、例えば公知のシーリング材を用いて構成されており、図２に示すように、ガラス体３０と戸尻側框材４１（具体的には、室外側表面材５３の第３室外側表面片５３ｃ、及び室内側表面材５４の第３室内側表面片５４ｃ）との相互間において戸尻側框材４１の上下方向の略全長にわたって設けられている（なお、後述する下側框材４４のシーリング材５５ａの構成、上側框材４３のシーリング材５５ａの構成についても略同様とする）。また、バックアップ材５５ｂは、ガラス体３０と戸尻側框材４１との隙間を保持し、且つシーリング材５５ａの受け台となる部材である。このバックアップ材５５ｂは、例えば公知のバックアップ材を用いて構成されており、図２に示すように、ガラス体３０と戸尻側框材４１（具体的には、室外側表面材５３の第３室外側表面片５３ｃ、及び室内側表面材５４の第３室内側表面片５４ｃ）との相互間であってシーリング材５５ａよりも右方の位置において、戸尻側框材４１の上下方向の略全長にわたって設けられている（なお、後述する下側框材４４のバックアップ材５５ｂの構成、上側框材４３のバックアップ材５５ｂの構成についても略同様とする）。
【００４９】
（構成−下側框材の構成の詳細）
次に、下側框材４４の構成の詳細について説明する。ただし、この下側框材４４は、特記する場合を除いて、任意の形状、方法、及び材質で製造することができる。この下側框材４４は、当該下側框材４４の形状を維持できるように、当該下側框材４４の断面形状（図３では、Ｙ−Ｚ平面に沿った断面形状）が閉鎖断面で形成されており、図３に示すように、横力骨５６、５７、室外側表面材５３、室内側表面材５４、シーリング材５５ａ、バックアップ材５５ｂ、及び支持部材５８を備えている。
【００５０】
（構成−下側框材の構成の詳細−横力骨）
横力骨５６、５７は、下側框材４４の剛性を主として担う部材である。これら横力骨５６、５７は、図３に示すように、Ｙ−Ｚ平面に沿った断面形状が略コ字状又は略逆コ字状である長尺な鋼製の板状体であり、相互に間隔を隔てて上下方向に略沿って並設されている。以下では、これら横力骨５６、５７のうち、上下方向の内側の横力骨５６を「第１横力骨５６」と称し、上下方向の外側の横力骨５７を「第２横力骨５７」と称する。
【００５１】
（構成−下側框材の構成の詳細−室外側表面材、室内側表面材）
室外側表面材５３は、下側框材４４の２つの主側面のいずれか一方を構成するものであって、少なくとも第１横力骨５６及び第２横力骨５７における見込方向の一方側の側面（図３では、部屋の室外側の側面）の全体を覆うものであり、図３に示すように、第１室外側表面片５３ａ、第２室外側表面片５３ｂ、第３室外側表面片５３ｃ、及び第４室外側表面片５３ｄを備えている。また、室内側表面材５４は、下側框材４４の２つの主側面のいずれか他方を構成するものであって、少なくとも第１横力骨５６及び第２横力骨５７における見込方向の他方側の側面（図３では、部屋の室内側の側面）の全体を覆うものであり、図３に示すように、第１室内側表面片５４ａ、第２室内側表面片５４ｂ、第３室内側表面片５４ｃ、及び第４室内側表面片５４ｄを備えている。なお、室外側表面材５３は戸尻側框材４１の室外側表面材５３と略同一に構成されていると共に、室内側表面材５４は戸尻側框材４１の室内側表面材５４と略同一に構成されているので、これらの詳細な説明を省略する。
【００５２】
（構成−下側框材の構成の詳細−シーリング材、バックアップ材）
シーリング材５５ａは、ガラス体３０と下側框材４４との隙間を埋めるための部材であり、図３に示すように、ガラス体３０と下側框材４４（具体的には、室外側表面材５３の第３室外側表面片５３ｃ、及び室内側表面材５４の第３室内側表面片５４ｃ）との相互間において下側框材４４の左右方向の略全長にわたって設けられている。また、バックアップ材５５ｂは、ガラス体３０と下側框材４４との隙間を保持し、且つシーリング材５５ａの受け台となる部材である。図３に示すように、ガラス体３０と下側框材４４（具体的には、室外側表面材５３の第３室外側表面片５３ｃ、及び室内側表面材５４の第３室内側表面片５４ｃ）との相互間であってシーリング材５５ａよりも下方の位置において、下側框材４４の左右方向の略全長にわたって設けられている。
【００５３】
（構成−下側框材の構成の詳細−支持部材）
支持部材５８は、ガラス体３０を支持するための部材である。この支持部材５８は、例えば公知の支持部材（一例として、セッティングブロック）を用いて構成されており、図３に示すように、ガラス体３０（具体的には、ガラス体３０の下端部）と第１横力骨５６との相互間に設けられ、且つ第１横力骨５６に載置されている。
【００５４】
（構成−上側框材の構成の詳細）
次に、上側框材４３の構成の詳細について説明する。ただし、この上側框材４３は、特記する場合を除いて、任意の形状、方法、及び材質で製造することができる。この上側框材４３は、当該上側框材４３の形状を維持できるように、断面形状（図３では、Ｙ−Ｚ平面に沿った断面形状）が閉鎖断面で形成されており、図３に示すように、第１横力骨５６、第２横力骨５７、室外側表面材５３、室内側表面材５４、シーリング材５５ａ、及びバックアップ材５５ｂを備えている。なお、これら第１横力骨５６、第２横力骨５７、及び室内側表面材５４は、下側框材４４の第１横力骨５６、第２横力骨５７、及び室内側表面材５４と略同一に構成されているので、以下では、これらの説明を省略する。
【００５５】
（構成−上側框材の構成の詳細−室外側表面材）
室外側表面材５３は、上側框材４３の２つの主側面のいずれか一方を構成するものであって、少なくとも第１横力骨５６及び第２横力骨５７における見込方向の一方側の側面（図３では、部屋の室外側の側面）の全体を覆うものであり、図３に示すように、第１室外側表面片５３ａ及び第２室外側表面片５３ｂを備えている。
【００５６】
このうち、第１室外側表面片５３ａは、上側框材４３の主側面を覆うための側片である。この第１室外側表面片５３ａは、図３に示すように、当該第１室外側表面片５３ａの上下方向の長さが第１横力骨５６から第２横力骨５７に至る長さと略同一になるように形成されており、第１横力骨５６及び第２横力骨５７の各々における見込方向の一方側の側面（図３では、部屋の室外側の側面）の全体を覆うように設けられている。また、第２室外側表面片５３ｂは、第１横力骨５６の見込面を覆うための側片である。この第２室外側表面片５３ｂは、図３に示すように、当該第２室外側表面片５３ｂの前後方向の長さが第１横力骨５６の前後方向の長さよりも短くなるように形成されており、第１室外側表面片５３ａにおける上下方向の内側の端部（図３では、下端部）から前後方向の内側（図３では、後方側）に向けて突出するように設けられている。
【００５７】
また、室外側表面材５３の固定方法については任意であるが、例えば、第１室外側表面片５３ａ及び第２室外側表面片５３ｂを第１横力骨５６又は第２横力骨５７に対して溶接等によって固定している。また、室外側表面材５３の形成方法については任意であるが、実施の形態１では、スチール材又はステンレス材を曲げ成形することで、第１室外側表面片５３ａ及び第２室外側表面片５３ｂを一体形成している。
【００５８】
（構成−上側框材の構成の詳細−シーリング材、バックアップ材）
シーリング材５５ａは、ガラス体３０と上側框材４３及び押縁６０の各々との隙間を埋めるための部材であり、図３に示すように、ガラス体３０と上側框材４３（具体的には、室内側表面材５４の第３室内側表面片５４ｃ）との相互間、及びガラス体３０と押縁６０（具体的には、後述する第３押縁側部６３）との相互間において上側框材４３の左右方向の略全長にわたって設けられている。また、バックアップ材５５ｂは、ガラス体３０と上側框材４３及び押縁６０の各々との隙間を保持し、且つシーリング材５５ａの受け台となる部材である。図３に示すように、ガラス体３０と上側框材４３（具体的には、室外側表面材５３の第３室外側表面片５３ｃ、及び室内側表面材５４の第３室内側表面片５４ｃ）との相互間、及びガラス体３０と押縁６０（具体的には、後述する第３押縁側部６３）との相互間であってシーリング材５５ａよりも上方の位置において、上側框材４３の左右方向の略全長にわたって設けられている。
【００５９】
（構成−押縁の構成の詳細）
次に、押縁６０の構成の詳細について説明する。ただし、この押縁６０は、特記する場合を除いて、任意の形状、方法、及び材質で製造することができる。この押縁６０は、断面形状（具体的には、Ｙ−Ｚ平面に沿った断面形状）が略コ字状である板状体であり、具体的には、図３に示すように、第１押縁側部６１、第２押縁側部６２、第３押縁側部６３、及び第４押縁側部６４を備えている。
【００６０】
このうち、第１押縁側部６１は、上側框材４３における見込方向のいずれか一方側の側面（図３では、部屋の室外側の側面）を覆うための平坦な側部（第１側部）である。この第１押縁側部６１は、図３に示すように、当該第１押縁側部６１の上下方向の長さが第１室外側表面片５３ａの上下方向の長さよりも長くなるように形成されており、第１室外側表面片５３ａ全体を覆うと共に、第１室外側表面片５３ａよりも上下方向の内側（図３では、下方側）に向けて突出するように設けられている。また、第２押縁側部６２は、上側框材４３の内周側見込面（図３では、下面）を覆うための平坦な側部（第２側部）である。この第２押縁側部６２は、図３に示すように、当該第２押縁側部６２の前後方向の長さが第２室外側表面片５３ｂの前後方向の長さよりも短くなるように形成されており、第１押縁側部６１の上下方向の内側の端部（図３では、下端部）から前後方向の内側（図３では、後方側）に向けて突出するように設けられることで、第２押縁側部６２によって上側框材４３の内周側見込面の一部のみが覆われている。また、第３押縁側部６３は、上側框材４３の内周側見込面を覆うための側部であり、且つガラス体３０と直接的又は間接的に当接する平坦な側部である。この第３押縁側部６３は、図３に示すように、当該第３押縁側部６３の上下方向の長さが第１押縁側部６１の突出部分の長さと略同一になるように形成されており、第２押縁側部６２の前後方向の内側の端部（図３では、後端部）から上下方向の外側（図３では、上方側）に向けて突出するように設けられている。また、第４押縁側部６４は、上側框材４３の外周側見込面（図３では、上面）を覆うための平坦な側部（第３側部）である。この第４押縁側部６４は、図３に示すように、当該第４押縁側部６４の前後方向の長さが第２横力骨５７の前後方向の長さよりも短くなるように形成されており、第１押縁側部６１の上下方向の外側の端部（図３では、上端部）から前後方向の内側（図３では、後方側）に向けて突出するように設けられることで、第４押縁側部６４によって上側框材４３の外周側見込面の一部のみが覆われている。
【００６１】
（構成−押縁の取付構造）
次に、押縁６０の取付構造について説明する。押縁６０を上側框材４３（対象框材）に対して取り付けるための取付構造の特徴については、実施の形態１では、以下に示す通りとなる。
【００６２】
（構成−押縁の取付構造−第１の特徴）
まず、取付構造の第１の特徴については、図３に示すように、押縁６０の側部のうち、上側框材４３における見込方向のいずれか一方側の側面全体を覆うように設けられる側部である第１押縁側部６１は、一部材で形成されている。この第１押縁側部６１の形成方法については任意であるが、例えば、１つのスチール材又はステンレス材を曲げ成形することで、第１押縁側部６１、第２押縁側部６２、第３押縁側部６３、及び第４押縁側部６４を一体形成することにより、第１押縁側部６１を一部材で形成してもよい。このような第１の特徴により、一部材の第１押縁側部６１によって上側框材４３における見込方向のいずれか一方側の側面全体を覆うことができる。よって、従来技術（框材の内周側見込面に押縁６０を取り付ける技術）に比べて、押縁６０と上側框材４３との境界線が外部に露出することを回避でき、開閉体２０の意匠性を向上させることが可能となる。
【００６３】
（構成−押縁の取付構造−第２の特徴）
次に、取付構造の第２の特徴については、図３に示すように、押縁６０の側部のうち、上側框材４３の内周側見込面と対向する側部である第２押縁側部６２及び上側框材４３の外周側見込面と対向する第４押縁側部６４の各々は、上側框材４３に対して固定具８０（例えば、ビス、ネジ等）によって固定されている。具体的には、第２押縁側部６２は、第２押縁側部６２、第２室外側表面片５３ｂ、及び第１横力骨５６の各々に形成された取付孔（図示省略）を介して、第１横力骨５６に対して固定具８０によって固定されている。また、第４押縁側部６４は、第４押縁側部６４及び第２横力骨５７の各々に形成された取付孔（図示省略）を介して、第２横力骨５７に対して固定具８０によって固定されている。このような第２の特徴により、押縁６０を上側框材４３に対して比較的強固に固定でき、ガラス体３０が脱落したり、又は押縁６０が上側框材４３から外れることを回避することが可能となる。
【００６４】
（開閉装置の設置方法）
続いて、このように構成された開閉装置１の設置方法について説明する。
【００６５】
まず、開閉装置１が設置される現場で、工場（又は当該現場）で組み立てた枠体１０を壁２に対して取り付ける。
【００６６】
次に、上記現場で開閉体２０を組み立てる。具体的には、まず、工場（又は上記現場）で組み立てた開閉体２０の框体４０に対してガラス体３０を取り付ける。次に、押縁６０を上側框材４３に対して取り付ける。この押縁６０の取付方法については任意であるが、実施の形態１では、まず、図４（ｂ）に示すように、図４（ａ）の押縁６０の第１押縁側部６１が第１室外側表面片５３ａと当接するまで、押縁６０を前後方向に向けてスライド移動させた後に、押縁６０の第２押縁側部６２及び第４押縁側部６４の各々を上側框材４３に対して固定具８０によって固定する（固定工程）。そして、図４（ｃ）に示すように、戸尻側框材４１、戸先側框材４２、上側框材４３、及び下側框材４４の各々にシーリング材５５ａ及びバックアップ材５５ｂを設ける（シーリング材等設置工程）。
【００６７】
続いて、上記組み立てた開閉体２０をヒンジ部７０を介して枠体１０に対して取り付ける。これにて、開閉装置１の設置方法が終了する。なお、開閉装置１が設置された後にガラス体３０を取り外す方法については任意であるが、例えば、開閉体２０を枠体１０に対して取り付けた状態で、押縁６０を上側框材４３から取り外し、その後当該取り外しによって生じた空間を利用してガラス体３０を框体４０から引き抜くことにより、取り外してもよい。これにより、開閉体２０を枠体１０から取り外した状態でガラス体３０を取り外す場合に比べて、ガラス体３０を取り外す作業の手間を軽減でき、当該取り外す作業の効率化を図ることが可能となる。
【００６８】
（実施の形態の効果）
このように実施の形態１によれば、押縁６０の側部のうち、複数の框材の中で押縁６０が取り付けられる框材である上側框材４３における見込方向のいずれか一方側の側面全体を覆うように設けられる側部である第１押縁側部６１を、一部材で形成したので、一部材の第１押縁側部６１によって上側框材４３における見込方向のいずれか一方側の側面全体を覆うことができる。よって、従来技術（框材の内周側見込面に押縁６０を取り付ける技術）に比べて、押縁６０と上側框材４３との境界線が外部に露出することを回避でき、開閉体２０の意匠性を向上させることが可能となる。
【００６９】
また、上側框材４３の断面形状を閉鎖断面としたので、上側框材４３の断面形状を開放断面とした場合に比べて、上側框材４３の形状を維持しやすくなり、上側框材４３の意匠性を維持できる。
【００７０】
また、第２押縁側部６２及び第４押縁側部６４の各々を、上側框材４３に対して固定具８０によって固定したので、押縁６０を上側框材４３に対して比較的強固に固定でき、ガラス体３０が脱落したり、又は押縁６０が上側框材４３から外れることを回避することが可能となる。
【００７１】
〔実施の形態２〕
まず、実施の形態２に係る押縁の取付構造について説明する。この実施の形態２は、第２押縁側部を框材に対して固定具によって固定し、第４押縁側部を框材に設けられた後述する係止部を、後述する被係止部に係止した形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７２】
（構成）
最初に、実施の形態２に係る開閉装置１の構成について説明する。実施の形態２に係る開閉装置１は、実施の形態１に係る開閉装置１とほぼ同様に構成されている。ただし、上側框材４３の構成、押縁６０の構成、及び押縁６０の取付構造の構成については、下記に示す工夫が施されている。
【００７３】
（構成−上側框材）
次に、上側框材４３の構成について説明する。実施の形態２に係る上側框材４３は、実施の形態１に係る上側框材４３とほぼ同様に構成されている。ただし、室外側表面材５３の構成、及び室内側表面材５４の構成については、下記に示す工夫が施されている。
【００７４】
すなわち、室外側表面材５３は、図５（ｄ）に示すように、第１室外側表面片５３ａのみを備えている。また、室内側表面材５４は、第１室内側表面片５４ａ、第２室内側表面片５４ｂ、第３室内側表面片５４ｃ、及び第４室内側表面片５４ｄを備えている。このうち、第１室内側表面片５４ａは、図５（ｄ）に示すように、当該第１室内側表面片５４ａの上下方向の長さが第１横力骨５６から第２横力骨５７に至る長さよりも長くなるように形成されている。また、この第１室内側表面片５４ａは、第１横力骨５６及び第２横力骨５７の各々における見込方向の他方側の側面（図５（ｄ）では、部屋の室内側の側面）の全体を覆うと共に、第１横力骨５６よりも上下方向の内側（図５（ｄ）では、下方側）に突出し、且つ第２横力骨５７よりも上下方向の外側（図５（ｄ）では、上方側）に突出するように設けられている。また、第４室内側表面片５４ｄは、図５（ｄ）に示すように、第１室内側表面片５４ａの上下方向の外側の端部（図５（ｄ）では、上端部）から前後方向の内側（図５（ｄ）では、前方側）に向けて突出し、且つ第２横力骨５７と接触しないように設けられている。
【００７５】
（構成−押縁）
次に、押縁６０の構成について説明する。実施の形態２に係る押縁６０は、第１押縁側部６１、第２押縁側部６２、第３押縁側部６３、及び第４押縁側部６４を備えている。このうち、第１押縁側部６１は、図５（ｄ）に示すように、当該第１押縁側部６１の上下方向の長さが室外側表面材５３の上下方向の長さよりも長くなるように形成されており、室外側表面材５３及び後述する第２被係止部８３の全体を覆うと共に、第１横力骨５６よりも上下方向の内側（図５（ｄ）では、下方側）に突出し、且つ第２横力骨５７よりも上下方向の外側（図５（ｄ）では、上方側）に突出するように設けられている。
【００７６】
（構成−押縁の取付構造）
次に、押縁６０の取付構造の構成について説明する。実施の形態２に係る押縁６０の取付構造の特徴については、以下に示す通りとなる。
【００７７】
すなわち、取付構造の特徴については、まず、図５（ｄ）に示すように、押縁６０の側部のうち上側框材４３（対象框材）の内周側見込面と対向する側部である第２押縁側部６２は、上側框材４３に対して固定具８０によって固定されている。具体的には、第２押縁側部６２は、第２押縁側部６２及び第１横力骨５６の各々に形成された取付孔（図示省略）を介して、第１横力骨５６に対して固定具８０によって固定されている。
【００７８】
また、押縁６０の側部のうち上側框材４３の外周側見込面と対向する第４押縁側部６４に設けられた係止部８１は、上側框材４３に設けられた第１被係止部８２及び第２被係止部８３に係止されている。このうち、係止部８１は、第１被係止部８２及び第２被係止部８３に対して係脱自在に係止するものである。この係止部８１は、第４押縁側部６４全体が係止手段として機能するように形成されており、具体的には、図５（ｄ）に示すように、Ｙ−Ｚ平面に沿った断面形状が略Ｖ字状であり、押縁６０の左右方向の全長（又はそれよりも短い長さ）にわたって形成されている。また、第１被係止部８２は、係止部８１によって係止されるものであり、図５（ｄ）に示すように、第４室内側表面片５４ｄの先端部（図５（ｄ）では、前端部）及びその近傍部分に設けられている。この第１被係止部８２は、係止部８１と第１被係止部８２との係止によって、押縁６０の回転移動（具体的には、図５（ｂ）に示す係止部８１と第１被係止部８２とを係止した部分８４（以下、「係止部分８４」と称する）を支点とする回転移動）が抑制可能となるように形成されている。具体的には、図５（ｄ）に示すように、係止部８１の先端部（図５（ｄ）では、後端部）と当接するように前方に向けて斜め下方に張り出されており、第４室内側表面片５４ｄの左右方向の全長（又はそれよりも短い長さ）にわたって形成されている。また、第２被係止部８３は、係止部８１によって係止されるものであり、図５（ｄ）に示すように、室外側表面材５３（具体的には、第１室外側表面片５３ａ）の上下方向の外側の端部（図５（ｄ）では、上端部）に設けられている。この第２被係止部８３は、係止部８１と第２被係止部８３との係止によって、押縁６０が前後方向の外側に向けて移動することが抑制可能となるように形成されている。具体的には、図５（ｄ）に示すように、押縁６０が前後方向の外側に向けて移動した際に係止部８１の基端部（図５（ｄ）では、前端部）と当接可能となるように上方に向けて張り出されており、室外側表面材５３の左右方向の全長（又はそれよりも短い長さ）にわたって形成されている。これら係止部８１、第１被係止部８２、及び第２被係止部８３の構成により、例えば、係止部８１が図５（ｄ）の部屋の室外側に移動しようとすると、第１被係止部８２との当接によって当該移動を制限できる。また、係止部８１が図５（ｄ）の右斜め下方に移動しようとすると、第２被係止部８３との当接によって当該移動を制限できる（なお、これに加えて、第１押縁側部６１と第１室外側表面片５３ａとの当接によっても、当該移動が一層制限できる。）
【００７９】
また、これら係止部８１、第１被係止部８２、及び第２被係止部８３の形成方法については任意であるが、実施の形態２では、係止部８１については、第４押縁側部６４を曲げ成形することにより、係止部８１を第４押縁側部６４と一体に形成している。また、第１被係止部８２については、第４室内側表面片５４ｄを曲げ成形することにより、第１被係止部８２を第４室内側表面片５４ｄと一体に形成している。また、第２被係止部８３については、第２被係止部８３を室外側表面材５３と一体に形成している。このような形成方法により、係止部８１、第１被係止部８２、及び第２被係止部８３を取り付ける手間を省略でき、開閉体２０の設置作業の効率化を図ることが可能となる。
【００８０】
このような特徴により、第２押縁側部６２及び第４押縁側部６４の各々を固定具８０によって固定する場合に比べて、固定具８０による固定作業を軽減でき、押縁６０の取付性を向上できる。また、第４押縁側部６４を上側框材４３に対して固定具８０によって固定し、第２押縁側部６２に係止部８１を設ける場合に比べて、例えば、係止部８１と第２被係止部８３との係止部分８４を支点に押縁６０を回転させて取り付ける場合に、ガラス体３０によって押縁６０の取付が阻害されることを回避しやすくなる。また、係止部８１と第１被係止部８２との係止によって押縁６０の回転移動を抑制でき、ガラス体３０が脱落したり、又は押縁６０が上側框材４３から外れることを回避できる。
【００８１】
（開閉装置の設置方法）
続いて、このように構成された開閉装置１の設置方法について説明する。
【００８２】
実施の形態２に係る開閉装置１の設置方法は、実施の形態１に係る開閉装置１の設置方法とほぼ同様に実行される。ただし、押縁６０の取付方法については、下記に示す工夫が施されている。すなわち、実施の形態２では、まず、図５（ｂ）に示すように、図５（ａ）の押縁６０の係止部８１を第２被係止部８３のみに係止する（係止工程）。次に、図５（ｂ）、（ｃ）に示すように、係止工程の後に、係止部８１と第２被係止部８３とを係止した状態で、係止部８１と第２被係止部８３との係止部分８４を支点に押縁６０を回転移動させた後（具体的には、第１押縁側部６１が室外側表面材５３と当接するまで押縁６０を時計回りに回転移動させた後）、係止部８１を第１被係止部８２に係止させると共に、第２押縁側部６２を上側框材４３に対して固定具８０によって固定する（固定工程）。そして、図５（ｄ）に示すように、戸尻側框材４１、戸先側框材４２、上側框材４３、及び下側框材４４の各々にシーリング材５５ａ及びバックアップ材５５ｂを設ける（シーリング材等設置工程）。このような取付方法により、第２押縁側部６２及び第４押縁側部６４の各々を固定具８０によって固定する場合に比べて、固定具８０による固定作業を軽減でき、押縁６０の取付性を向上できる。
【００８３】
（構成−その他の構成）
また、この他にも、押縁６０の取付構造は、できる限りにおいて任意の構造にて構成可能である。
【００８４】
例えば、実施の形態２においては、上側框材４３に第１被係止部８２及び第２被係止部８３が設けられていると説明したが、これに限らず、例えば、図６（ｄ）に示すように、第２被係止部８３の機能を有する被係止部８５が設けられてもよい。この場合において、係止部８１の具体的な構成については任意であるが、例えば、図６（ｄ）に示すように、係止部８１の前後方向の長さが実施の形態２に係る第４押縁側部６４の前後方向の長さよりも短くなるように形成され、後方に向けて斜め下方に張り出されるように設けられてもよい。また、被係止部８５の具体的な構成については任意であるが、例えば、図６（ｄ）に示すように、室外側表面材５３の上下方向の外側の端部（図６（ｄ）では、上端部）において、上方に向けて張り出すように設けられてもよい。また、係止部８１を被係止部８５に容易に係止できるように、例えば、図６（ｄ）に示すように、第４室内側表面片５４ｄの先端部（図６（ｄ）では、前端部）に設けられたガイド部８６であって、係止部８１の取り付けをガイドするガイド部８６を設けてもよい。また、この押縁６０の取付方法については任意であるが、例えば、まず、係止工程において、図６（ｂ）に示すように、図６（ａ）の押縁６０の係止部８１を被係止部８５に係止する。次いで、固定工程において、図６（ｂ）、（ｃ）に示すように、係止部８１と被係止部８５とを係止した状態で係止部８１と被係止部８５との係止部分８４を支点に押縁６０を回転移動させた後、第２押縁側部６２を上側框材４３に対して固定具８０によって固定する。そして、シーリング材等設置工程において、図６（ｄ）に示すように、戸尻側框材４１、戸先側框材４２、上側框材４３、及び下側框材４４の各々にシーリング材５５ａ及びバックアップ材５５ｂを設ける。
【００８５】
このような構成により、例えば、係止部８１が図６（ｄ）の部屋の室外側に移動しようとしたり、又は図６（ｄ）の下方に移動しようとすると、被係止部８５との当接によってこれら移動を制限できる。また、実施の形態２に係る押縁６０の取付構造に比べて、押縁６０を比較的容易に取り付けることができ、押縁６０の取付性を向上できる。
【００８６】
（実施の形態の効果）
このように実施の形態２によれば、第２押縁側部６２を上側框材４３に対して固定具８０によって固定し、第４押縁側部６４に設けられた係止部８１を上側框材４３に設けられた第１被係止部８２及び第２被係止部８３に係止したので、例えば係止部８１を第２被係止部８３に係止した状態で押縁６０を回転させた後に上側框材４３に対して固定具８０によって固定することができることから、第２押縁側部６２及び第４押縁側部６４の各々を固定具８０によって固定する場合に比べて、固定具８０による固定作業を軽減でき、押縁６０の取付性を向上できる。
【００８７】
また、押縁６０の回転移動が抑制可能となるように、係止部８１を第１被係止部８２及び第２被係止部８３に係止したので、係止部８１と第１被係止部８２及び第２被係止部８３との係止によって押縁６０の回転移動を抑制でき、ガラス体３０が脱落したり、又は押縁６０が上側框材４３から外れることを回避できる。
【００８８】
また、第２押縁側部６２を上側框材４３に対して固定具８０によって固定し、第４押縁側部６４に係止部８１を設けたので、第４押縁側部６４を上側框材４３に対して固定具８０によって固定し、第２押縁側部６２に係止部８１を設ける場合に比べて、例えば、係止部８１と第２被係止部８３との係止部分８４を支点に押縁６０を回転させて取り付ける場合に、ガラス体３０によって押縁６０の取付が阻害されることを回避しやすくなる。
【００８９】
また、第４押縁側部６４に設けられた係止部８１を上側框材４３に設けられた第２被係止部８３に係止する係止工程と、係止工程の後に、係止部８１と第２被係止部８３とを係止した状態で、係止部分８４を支点に押縁６０を回転移動させた後に、第２押縁側部６２を上側框材４３に対して固定具８０によって固定する固定工程と、を含むので、第２押縁側部６２及び第４押縁側部６４の各々を固定具８０によって固定する場合に比べて、固定具８０による固定作業を軽減でき、押縁６０の取付性を向上できる。
【００９０】
〔実施の形態３〕
まず、実施の形態３に係る押縁の取付構造について説明する。この実施の形態３は、第４押縁側部を框材に対して固定具によって固定し、第２押縁側部を框材に設けられた係止部を、被係止部に係止した形態である。ただし、この実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００９１】
（構成）
最初に、実施の形態３に係る開閉装置１の構成について説明する。実施の形態３に係る開閉装置１は、実施の形態１に係る開閉装置１とほぼ同様に構成されている。ただし、上側框材４３の構成、押縁６０の構成、及び押縁６０の取付構造の構成については、下記に示す工夫が施されている。
【００９２】
（構成−上側框材）
次に、上側框材４３の構成について説明する。実施の形態３に係る上側框材４３は、実施の形態１に係る上側框材４３とほぼ同様に構成されている。ただし、室外側表面材５３の構成については、図７（ｄ）に示すように、第１室外側表面片５３ａのみを備えている。
【００９３】
（構成−押縁）
次に、押縁６０の構成について説明する。実施の形態３に係る押縁６０は、第１押縁側部６１、第２押縁側部６２、第３押縁側部６３、及び第４押縁側部６４を備えている。このうち、第１押縁側部６１は、図７（ｄ）に示すように、当該第１押縁側部６１の上下方向の長さが室外側表面材５３の上下方向の長さよりも長くなるように形成されており、室外側表面材５３及び後述する被係止部８５の全体を覆うように設けられている。
【００９４】
（構成−押縁の取付構造）
次に、押縁６０の取付構造の構成について説明する。実施の形態３に係る押縁６０の取付構造の特徴については、以下に示す通りとなる。
【００９５】
すなわち、図７（ｄ）に示すように、まず、押縁６０の側部のうち上側框材４３（対象框材）の外周側見込面と対向する側部である第４押縁側部６４は、上側框材４３に対して固定具８０によって固定されている。具体的には、第４押縁側部６４は、第４押縁側部６４及び第２横力骨５７の各々に形成された取付孔（図示省略）を介して、第２横力骨５７に対して固定具８０によって固定されている。
【００９６】
また、押縁６０の側部のうち上側框材４３の内周側見込面と対向する第２押縁側部６２に設けられた係止部８１は、上側框材４３に設けられた被係止部８５に係止されている。このうち、係止部８１は、被係止部８５に対して係脱自在に係止するものであり、図７（ｄ）に示すように、第２押縁側部６２の上面に設けられている。この係止部８１は、図７（ｄ）に示すように、Ｙ−Ｚ平面に沿った断面形状が屈曲状であり、押縁６０の左右方向の全長（又はそれよりも短い長さ）にわたって形成されている。また、被係止部８５は、係止部８１によって係止されるものであり、図７（ｄ）に示すように、室外側表面材５３（具体的には、第１室外側表面片５３ａ）の上下方向の内側の端部（図７（ｄ）では、下端部）に設けられている。この被係止部８５は、係止部８１と被係止部８５との係止によって、押縁６０の回転移動（具体的には、図７（ｂ）に示す係止部８１と被係止部８５との係止部分８４を支点とする回転移動）が抑制可能となるように形成されている。具体的には、図７（ｄ）に示すように、係止部８１の先端部と当接するように下方に向けて張り出されており、室外側表面材５３の左右方向の全長（又はそれよりも短い長さ）にわたって形成されている。
【００９７】
また、これら係止部８１及び被係止部８５の形成方法については任意であるが、実施の形態３では、係止部８１については、係止部８１を第２押縁側部６２とは別体に形成しており、第２押縁側部６２に対して溶接によって接続されている。また、被係止部８５については、被係止部８５を室外側表面材５３と一体に形成している。これにより、係止部８１の取付の自由度を高めることができ、状況に応じた係止部８１の取付が可能となる。
【００９８】
このような特徴により、例えば、係止部８１が図７（ｄ）の部屋の室外側に移動しようとしたり、又は図７（ｄ）の上方に移動しようとすると、被係止部８５との当接によってこれら移動を制限できる。また、第２押縁側部６２及び第４押縁側部６４の各々を固定具８０によって固定する場合に比べて、固定具８０による固定作業を軽減でき、押縁６０の取付性を向上できる。
【００９９】
（開閉装置の設置方法）
続いて、このように構成された開閉装置１の設置方法について説明する。
【０１００】
実施の形態３に係る開閉装置１の設置方法は、実施の形態１に係る開閉装置１の設置方法とほぼ同様に実行される。ただし、押縁６０の取付方法については、下記に示す工夫が施されている。すなわち、実施の形態３では、まず、図７（ｂ）に示すように、図７（ａ）の押縁６０の係止部８１を被係止部８５に係止する（係止工程）。次に、図７（ｂ）、（ｃ）に示すように、係止工程の後に、係止部８１と被係止部８５とを係止した状態で、係止部８１と被係止部８５との係止部分８４を支点に押縁６０を回転移動させた後（具体的には、第１押縁側部６１が室外側表面材５３と当接するまで押縁６０を反時計回りに回転移動させた後）、第４押縁側部６４を上側框材４３に対して固定具８０によって固定する（固定工程）。そして、図７（ｄ）に示すように、戸尻側框材４１、戸先側框材４２、上側框材４３、及び下側框材４４の各々にシーリング材５５ａ及びバックアップ材５５ｂを設ける（シーリング材等設置工程）。このような取付方法により、第２押縁側部６２及び第４押縁側部６４の各々を固定具８０によって固定する場合に比べて、固定具８０による固定作業を軽減でき、押縁６０の取付性を向上できる。
【０１０１】
（構成−その他の構成）
また、この他にも、押縁６０の取付構造は、できる限りにおいて任意の構造にて構成可能である。
【０１０２】
例えば、実施の形態３においては、係止部８１が押縁６０（第２押縁側部６２）とは別体に形成されていると説明したが、これに限らない。例えば、係止部８１が押縁６０と一体に形成されてもよく、一例として、図８（ｄ）に示すように、第２押縁側部６２及び第３押縁側部６３を係止部８１としてもよい。この場合において、係止部８１の具体的な構成については任意であるが、例えば、図８（ｄ）に示すように、係止部８１のうち第３押縁側部６３側の部分を後方に向けて斜め上方に張り出されるように設けられてもよい。また、被係止部８５の具体的な構成については任意であるが、例えば、図８（ｄ）に示すように、Ｙ−Ｚ平面に沿った断面形状が、後方に向けて突出した逆Ｌ字状に形成されてもよい。また、この押縁６０の取付方法については、図８（ａ）から図８（ｄ）に示すように、実施の形態３に係る押縁６０の取付方法と略同様に行われる。
【０１０３】
このような構成により、例えば、係止部８１が図８（ｄ）の部屋の室外側に移動しようとしたり、又は図８（ｄ）の上方に移動しようとすると、被係止部８５との当接（具体的には、係止部８１の部分のうち第２押縁側部６２と第３押縁側部６３との角部と被係止部８５の先端部との当接）によってこれら移動を制限できる。また、実施の形態３に係る押縁６０の取付構造に比べて、係止部８１及び被係止部８５を取り付ける手間を省略でき、開閉体２０の設置作業の効率化を図ることが可能となる。
【０１０４】
（実施の形態の効果）
このように実施の形態３によれば、第４押縁側部６４を上側框材４３に対して固定具８０によって固定し、第２押縁側部６２に設けられた係止部８１を上側框材４３に設けられた被係止部８５に係止したので、例えば係止部８１を被係止部８５に係止した状態で押縁６０を回転させた後に上側框材４３に対して固定具８０によって固定することができることから、第２押縁側部６２及び第４押縁側部６４の各々を固定具８０によって固定する場合に比べて、固定具８０による固定作業を軽減でき、押縁６０の取付性を向上できる。
【０１０５】
また、第２押縁側部６２に設けられた係止部８１を上側框材４３に設けられた被係止部８５に係止する係止工程と、係止工程の後に、係止部８１と被係止部８５とを係止した状態で、係止部分８４を支点に押縁６０を回転移動させた後に、第４押縁側部６４を上側框材４３に対して固定具８０によって固定する固定工程と、を含むので、第２押縁側部６２及び第４押縁側部６４の各々を固定具８０によって固定する場合に比べて、固定具８０による固定作業を軽減でき、押縁６０の取付性を向上できる。
【０１０６】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０９】
（框体について）
上記実施の形態１から３では、框体４０の上側框材４３の断面形状（具体的には、Ｙ−Ｚ平面に沿った断面形状）が閉鎖断面であると説明したが、これに限らず、例えば、押縁６０側の側面が開放された開放断面であってもよい。
【０１１０】
（押縁について）
上記実施の形態１から３では、押縁６０が上側框材４３に取り付けられていると説明したが、これに限らず、例えば、押縁６０が上側框材４３以外の他の框材（一例として、戸尻側框材４１、戸先側框材４２、下側框材４４）に取り付けられてもよい。この場合において、押縁６０が取り付けられる上記他の框材は、上記実施の形態１から３のいずれか１つに係る上側框材４３の構成と略同一に構成される。
【０１１１】
また、上記実施の形態１から３では、押縁６０が、上側框材４３の部屋の室外側のみに設けられていると説明したが、これに限らない。例えば、押縁６０が、上側框材４３の部屋の室内側のみに設けられてもよく、あるいは、上側框材４３の部屋の室外側及び部屋の室内側の両方に設けられてもよい。
【０１１２】
また、上記実施の形態１から３では、押縁６０の形成方法については、１つのスチール材又はステンレス材を曲げ成形することで、第１押縁側部６１、第２押縁側部６２、第３押縁側部６３、及び第４押縁側部６４を一体形成していると説明したが、これに限らない。例えば、第１押縁側部６１、第２押縁側部６２、第３押縁側部６３、及び第４押縁側部６４の各々を１つのスチール材又はステンレス材にてそれぞれ別体にて形成し、これら第１押縁側部６１、第２押縁側部６２、第３押縁側部６３、及び第４押縁側部６４を溶接等によって接続することにより、形成してもよい。
【０１１３】
また、上記実施の形態１から３では、上側框材４３に１つの押縁６０が設けられていると説明したが、これに限らず、例えば、図９に示すように、上側框材４３に２つの押縁６０ａ、６０ｂ（図９では、第１押縁６０ａ及び第２押縁６０ｂ）が設けられてもよい。ここで、第１押縁６０ａは、ガラス体３０を支持するための押縁であり、上側框材４３の内周側見込面に設けられ、上側框材４３に対して固定具８０によって固定されている。第２押縁６０ｂは、開閉体２０の意匠性を高めるための押縁であり、一部材で形成されており、第１押縁６０ａ及び上側框材４３の各々の側面のうち、見込方向のいずれか一方側の側面全体（図９では、部屋の室外側の側面）を覆うように設けられている。また、この第２押縁６０ｂの取付構造については任意であるが、例えば、第２押縁６０ｂの側部のうち、第１押縁６０ａの内周側見込面と対向する側部又は上側框材４３の外周側見込面と対向する側部の少なくともいずれか一方は、上側框材４３又は第１押縁６０ａに対して固定具８０によって固定される。一例として、図９に示すように、上記内周側見込面と対向する側部が上側框材４３に対して固定具８０によって固定され、上記外周側見込面と対向する側部に設けられた係止部８１が、上側框材４３に設けられた被係止部８５に係止されてもよい。この場合において、図９に示すように、第１押縁６０ａ及び第２押縁６０ｂが共通の固定具８０で固定されてもよい。又は、第１押縁６０ａ及び第２押縁６０ｂの各々が別々の固定具８０で固定されてもよい（この場合には、第１押縁６０ａを固定する固定具８０は、第２押縁６０ｂによって覆われることで露出を回避してもよい）。あるいは、実施の形態１のように、上記内周側見込面と対向する側部及び上記外周側見込面と対向する側部の各々が、上側框材４３又は第１押縁６０ａに対して固定具８０によって固定されてもよい。これにより、例えば第１押縁６０ａが既設されている場合に、第２押縁６０ｂによって第１押縁６０ａと上側框材４３の境界線が露出することを回避でき、開閉体２０の意匠性を一層向上できる。
【０１１４】
（押縁の取付構造について）
上記実施の形態２、３では、被係止部が、上側框材４３と一体に形成されていると説明したが、これに限らず、例えば、上側框材４３とは別体に形成されてもよい。この場合には、被係止部は、係止部８１の左右方向の全長（又はそれよりも短い長さ）にわたって形成され、上側框材４３の構成要素（具体的には、第１横力骨５６、第２横力骨５７、室外側表面材５３、又は室内側表面材５４）に対して固定具（図示省略）又は溶接等によって固定されてもよい。これにより、被係止部を上側框材４３と一体に形成する場合に比べて上側框材４３の加工の手間を省略でき、上側框材４３の製造性を向上させることができる。また、被係止部を上側框材４３と一体に形成する場合に比べて被係止部の取付の自由度を高めることができ、例えば既設の開閉体２０の押縁に代えて本発明の押縁６０及び被係止部を設けることにより、押縁６０の取付構造を既設の開閉体２０に適用することが可能となる。
【０１１５】
また、上記実施の形態１、２では、押縁６０の側部のうち、固定具８０が取り付けられる第２押縁側部６２が平坦状に形成されていると説明したが、これに限らない。例えば、図１０（ａ）、（ｂ）に示すように、実施の形態１に係る第２押縁側部６２のうち固定具８０に対応する部分に、見付方向の外側（図１０では、上方側）に向けて窪んだ凹部９０を形成してもよい。また、凹部９０に設けられるカバー材９１であって、固定具８０が外部に露出することを防止するためのカバー材９１（一例として、シーリング材、化粧材等）を備えてもよい（ただし、これに限らず、例えば、カバー材９１を省略してもよい）。また、図１０（ｃ）に示すように、実施の形態２に係る第２押縁側部６２についても、図１０（ａ）、（ｂ）の押縁６０の構成と略同様に構成されてもよい。このような構成により、第２押縁側部６２を上側框材４３に対して固定具８０によって固定する場合に、固定具８０が外部に露出することを回避でき、開閉体２０の意匠性を向上させることができる。また、凹部９０にカバー材９１を設けない場合に比べて、固定具８０が外部に露出することを回避でき、開閉体２０の意匠性を一層向上させることができる。
【０１１６】
（押縁の取付方法について）
上記実施の形態１から３では、押縁６０の取付方法が、シーリング材等設置工程を含むと説明したが、これに限らず、例えば、シーリング材等設置工程を省略してもよい。
【０１１７】
（付記）
付記１の押縁の取付構造は、建物の開口部の開閉を行う開閉体であって、少なくとも１つ以上のガラス板からなるガラス体と、前記ガラス体の周囲を囲繞するように設けられた複数の框材とを備えた開閉体を構成する押縁であり、前記ガラス体の周縁部分の一部に直接的又は間接的に当接させることで前記ガラス体を支持する押縁の取付構造であって、前記押縁の側部のうち、前記複数の框材の中で前記押縁が取り付けられる框材である対象框材における見込方向のいずれか一方側の側面全体を覆うように設けられる側部である第１側部を、一部材で形成した。
【０１１８】
付記２の押縁の取付構造は、付記１に記載の押縁の取付構造において、前記対象框材の断面形状を、閉鎖断面とした。
【０１１９】
付記３の押縁の取付構造は、付記１又は２に記載の押縁の取付構造において、前記押縁の側部のうち、前記対象框材の内周側見込面と対向する側部である第２側部及び前記対象框材の外周側見込面と対向する第３側部の各々を、前記対象框材に対して固定具によって固定した。
【０１２０】
付記４の押縁の取付構造は、付記１又は２に記載の押縁の取付構造において、前記押縁の側部のうち、前記対象框材の内周側見込面と対向する側部である第２側部又は前記対象框材の外周側見込面と対向する第３側部のいずれか一方を、前記対象框材に対して固定具によって固定し、前記第２側部又は前記第３側部のいずれか他方に設けられた係止部を、前記対象框材に設けられた被係止部に係止した。
【０１２１】
付記５の押縁の取付構造は、付記４に記載の押縁の取付構造において、前記押縁の回転移動が抑制可能となるように、前記係止部を前記被係止部に係止した。
【０１２２】
付記６の押縁の取付構造は、付記４又は５に記載の押縁の取付構造において、前記被係止部を、前記対象框材とは別体に形成した。
【０１２３】
付記７の押縁の取付構造は、付記４から６のいずれか一項に記載の押縁の取付構造において、前記第２側部を、前記対象框材に対して前記固定具によって固定し、前記第３側部に、前記係止部を設けた。
【０１２４】
付記８の押縁の取付構造は、付記３又は７に記載の押縁の取付構造において、前記第２側部のうち前記固定具に対応する部分に、見付方向の外側に向けて窪んだ凹部を形成した。
【０１２５】
付記９の押縁の取付構造は、付記８に記載の押縁の取付構造において、前記凹部に設けられるカバー材であって、前記固定具が外部に露出することを防止するためのカバー材を備えた。
【０１２６】
付記１０の押縁の取付方法は、建物の開口部の開閉を行う開閉体であって、少なくとも１つ以上のガラス板からなるガラス体と、前記ガラス体の周囲を囲繞するように設けられた複数の框材とを備えた開閉体を構成する押縁であり、前記ガラス体の周縁部分の一部に直接的又は間接的に当接させることで前記ガラス体を支持する押縁の取付方法であって、前記複数の框材の中で前記押縁が取り付けられる框材である対象框材における見込方向のいずれか一方側の側面全体を覆うことが可能な前記押縁の側部のうち、前記対象框材の内周側見込面と対向する側部又は前記対象框材の外周側見込面と対向する側部のいずれか一方に設けられた係止部を、前記対象框材に設けられた被係止部に係止する係止工程と、前記係止工程の後に、前記係止部と前記被係止部とを係止した状態で、当該係止した部分を支点に前記押縁を回転移動させた後に、前記内周側見込面と対向する側部又は前記外周側見込面と対向する側部のいずれか他方を、前記対象框材に対して固定具によって固定する固定工程と、を含む。
【０１２７】
（付記の効果）
付記１に記載の押縁の取付構造によれば、押縁の側部のうち、複数の框材の中で押縁が取り付けられる框材である対象框材における見込方向のいずれか一方側の側面全体を覆うように設けられる側部である第１側部を、一部材で形成したので、一部材の第１側部によって対象框材における見込方向のいずれか一方側の側面全体を覆うことができる。よって、従来技術（框材の内周側見込面に押縁を取り付ける技術）に比べて、押縁と対象框材との境界線が外部に露出することを回避でき、開閉体の意匠性を向上させることが可能となる。
【０１２８】
付記２に記載の押縁の取付構造によれば、対象框材の断面形状を閉鎖断面としたので、対象框材の断面形状を開放断面とした場合に比べて、対象框材の形状を維持しやすくなり、対象框材の意匠性を維持できる。
【０１２９】
付記３に記載の押縁の取付構造によれば、第２側部及び第３側部の各々を、対象框材に対して固定具によって固定したので、押縁を対象框材に対して比較的強固に固定でき、ガラス体が脱落したり、又は押縁が対象框材から外れることを回避することが可能となる。
【０１３０】
付記４に記載の押縁の取付構造によれば、第２側部又は第３側部のいずれか一方を、対象框材に対して固定具によって固定し、第２側部又は第３側部のいずれか他方に設けられた係止部を、対象框材に設けられた被係止部に係止したので、例えば係止部を被係止部に係止した状態で押縁を回転させた後に対象框材に対して固定具によって固定することができることから、第２側部及び第３側部の各々を固定具によって固定する場合に比べて、固定具による固定作業を軽減でき、押縁の取付性を向上できる。
【０１３１】
付記５に記載の押縁の取付構造によれば、押縁の回転移動が抑制可能となるように、係止部を被係止部に係止したので、係止部と被係止部との係止によって押縁の回転移動を抑制でき、ガラス体が脱落したり、又は押縁が対象框材から外れることを回避できる。
【０１３２】
付記６に記載の押縁の取付構造によれば、被係止部を対象框材とは別体に形成したので、被係止部を対象框材と一体に形成する場合に比べて対象框材の加工の手間を省略でき、対象框材の製造性を向上させることができる。また、被係止部を対象框材と一体に形成する場合に比べて被係止部の取付の自由度を高めることができ、例えば既設の開閉体の押縁に代えて本発明の押縁及び被係止部を設けることにより、押縁の取付構造を既設の開閉体に適用することが可能となる。
【０１３３】
付記７に記載の押縁の取付構造によれば、第２側部を対象框材に対して固定具によって固定し、第３側部に係止部を設けたので、第３側部を対象框材に対して固定具によって固定し、第２側部に係止部を設ける場合に比べて、例えば、係止部と被係止部との係止した部分を支点に押縁を回転させて取り付ける場合に、ガラス体によって押縁の取付が阻害されることを回避しやすくなる。
【０１３４】
付記８に記載の押縁の取付構造によれば、第２側部のうち固定具に対応する部分に、見付方向の外側に向けて窪んだ凹部を形成したので、第２側部を対象框材に対して固定具によって固定する場合に、固定具が外部に露出することを回避でき、開閉体の意匠性を向上させることができる。
【０１３５】
付記９に記載の押縁の取付構造によれば、凹部に設けられるカバー材を備えたので、凹部にカバー材を設けない場合に比べて、固定具が外部に露出することを回避でき、開閉体の意匠性を一層向上させることができる。
【０１３６】
付記１０に記載の押縁の取付構造によれば、押縁の側部のうち対象框材の内周側見込面と対向する側部又は対象框材の外周側見込面と対向する側部のいずれか一方に設けられた係止部を、対象框材に設けられた被係止部に係止する係止工程と、係止工程の後に、係止部と被係止部とを係止した状態で、当該係止した部分を支点に押縁を回転移動させた後に、上記内周側見込面と対向する側部又は上記外周側見込面と対向する側部のいずれか他方を、対象框材に対して固定具によって固定する固定工程と、を含むので、上記内周側見込面と対向する側部及び上記外周側見込面と対向する側部の各々を固定具によって固定する場合に比べて、固定具による固定作業を軽減でき、押縁の取付性を向上できる。
【符号の説明】
【０１３７】
１  開閉装置
２  壁
３  開口部
１０  枠体
１１  縦枠、戸尻側縦枠
１２  縦枠、戸先側縦枠
１３  横枠、上側横枠
１４  横枠、下側横枠
２０  開閉体
２１  把手
３０  ガラス体
４０  框体
４１  縦框材、戸尻側框材
４２  縦框材、戸先側框材
４３  横框材、上側框材
４４  横框材、下側框材
５１  第１縦力骨
５２  第２縦力骨
５３  室外側表面材
５３ａ  第１室外側表面片
５３ｂ  第２室外側表面片
５３ｃ  第３室外側表面片
５３ｄ  第４室外側表面片
５４  室内側表面材
５４ａ  第１室内側表面片
５４ｂ  第２室内側表面片
５４ｃ  第３室内側表面片
５４ｄ  第４室内側表面片
５５ａ  シーリング材
５５ｂ  バックアップ材
５６  第１横力骨
５７  第２横力骨
５８  支持部材
６０  押縁
６０ａ  第１押縁
６０ｂ  第２押縁
６１  第１押縁側部
６２  第２押縁側部
６３  第３押縁側部
６４  第４押縁側部
７０  ヒンジ部
８０  固定具
８１  係止部
８２  第１被係止部
８３  第２被係止部
８４  係止部分
８５  被係止部
８６  ガイド部
９０  凹部
９１  カバー材
【図１】
2019100035.tif 000003
【図２】
2019100035.tif 000004
【図３】
2019100035.tif 000005
【図４】
2019100035.tif 000006
【図５】
2019100035.tif 000007
【図６】
2019100035.tif 000008
【図７】
2019100035.tif 000009
【図８】
2019100035.tif 000010
【図９】
2019100035.tif 000011
【図１０】
2019100035.tif 000012